(57)【特許請求の範囲】
【請求項１】
立体形状において、四角形状の第１の面を構成する第１の基本要素部材と、この第１の面に一辺を共有して隣接する複数の三角形状の第２の面を構成する第２の基本要素部材とを備え、奇数面を有する四角錐状又は角柱状の中空多面体であって、中空多面体の各面を構成する前記基本要素部材と、前記中空多面体の頂部交点を経て直線状に延びる稜線に沿って開口可能な形態で、前記複数の基本要素部材を互いにヒンジ式に連結する連結部とを備えており；
前記四角錐状中空多面体は、
第１の面に一辺を共有して隣接し、かつ前記第１の面に対して傾斜した頂部を形成する４つの三角形状の第２の面を構成する第２の基本要素部材を備え、
この第２の基本要素部材は、四角錐状に周方向に連なる正三角形又は直角二等辺三角形に形成され、
前記第１の基本要素部材が、正四角形であり、かつ第１の対角線に沿って折り曲げ可能な少なくとも一対の三角形状の折曲部材を含み、
互いに隣接する前記基本要素部材又は互いに隣接する折曲部材が、互いに対向し、かつ開閉可能な少なくとも１つの開口部を形成する二対の開閉要素部材として形成され、
これらの開閉要素部材の開口縁を除き、互いに隣接する前記基本要素部材又は折曲部材を折り曲げ可能にヒンジ式に連結する連結部を備えており；
前記角柱状中空多面体は、三角柱状又は四角柱状中空多面体であり、
立体形状において、周方向に連なる３又は４つの四角形状の第１の面を構成する第１の基本要素部材と、この第１の面による周面の開放辺又は端に一辺を共有して隣接し、かつ前記第１の面による周面に対して平坦面又は頂部を有する傾斜面を形成する３又は４つの三角形状の第２の面を構成する第２の基本要素部材とを備え、
平坦面を形成する第２の基本要素部材は、対角線に沿って切離された一対又は二対の三角形状の折曲要素部材で形成され、
頂部を有する傾斜面を形成する第２の基本要素部材は、四角錐状に周方向に連なる正三角形又は直角二等辺三角形に形成され、
前記第１の面が周方向に連なって奇数面を形成するとき、少なくとも１つの前記第１の基本要素部材が、幅方向の中央部で周方向に対して直交する方向に延びる第１の折り曲げ部に沿って折り曲げ可能な第１の折曲要素部材を含むとともに、この第１の折曲要素部材の第１の折り曲げ部に隣接する第２の基本要素部材が、閉じ状態で前記第１の折り曲げ部に連なって延びる第２の折り曲げ部に沿って折り曲げ可能な一対の直角三角形の第２の折曲要素部材を含み、
互いに隣接する前記第１の基本要素部材と互いに隣接する第２の基本要素部材とが互いに対向するか、又は互いに隣接する第１の折曲要素部材と第２の折曲要素部材とが、互いに対向し、かつ開閉可能な少なくとも１つの開口部を形成する二対の開閉要素部材として形成され、
これらの開閉要素部材の開口縁を除き、互いに隣接する前記各要素部材を折り曲げ可能にヒンジ式に連結する連結部を備えており；
折り畳み状態で平面形状となり、かつ開口部の１回の閉じ操作により立体形状の中空多面体を形成できる折り畳み式中空多面体。
【請求項２】
中空多面体が四角錐状中空多面体であり、第１の基本要素部材が、第１の対角線に沿って折り曲げ可能な一対又は二対の三角形状の折曲要素部材を含み、二対の開閉要素部材が、四角錐状中空多面体の頂部交点を経て直線状に延びる稜線に沿って開口可能である請求項１記載の折り畳み式中空多面体。
【請求項３】
中空多面体が四角錐状中空多面体であり、四角錐状中空多面体の頂点から延びる稜線、又は隣接する第２の基本要素部材と隣接する第１の基本要素部材とが交差して直線状に延びる稜線に沿って開口可能である請求項１記載の折り畳み式中空多面体。
【請求項４】
中空多面体が四角錐状中空多面体であり、第１の基本要素部材が、第２の対角線に沿って切離した形態を有し、かつ第１の対角線に沿って折り曲げ可能な少なくとも一対の三角形状の折曲要素部材を含み、
一対又は二対の折曲要素部材で形成された四角錐状中空多面体の四角形状底面の第２の対角線に沿って開口可能である請求項１記載の折り畳み式中空多面体。
【請求項５】
中空多面体が四角柱状中空多面体であり、四角柱状中空多面体の四角形状平坦面が、第２の対角線に沿って切離された形態を有し、かつ第１の対角線に沿って折り曲げ可能な一対又は二対の三角形状の第２の基本要素部材で構成されている請求項１記載の折り畳み式中空多面体。
【請求項６】
角柱状中空多面体が三角錐柱状中空多面体又は四角錐柱状中空多面体であり、この三角錐柱状又は四角錐柱状中空多面体の頂点から直線状に延びる稜線、互いに隣接する一対の第１及び第２の基本要素部材間を直線状に延びる稜線に沿って開口可能である請求項１記載の折り畳み式中空多面体。
【請求項７】
中空多面体が錐状中空多面体であり、三角形状の第２の面を構成する第２の基本要素部材が、立体形状において、頂点を中心として互いに隣接して周方向に連なる奇数面又は偶数面を形成している請求項１記載の折り畳み式中空多面体。
【請求項８】
連結部によりヒンジ式に連結された第１及び第２の基本要素部材が、トラス構造を有している請求項１〜７のいずれかに記載の折り畳み式中空多面体。
【発明の詳細な説明】
【技術分野】
【０００１】
本発明は、容器、ケースやパッケージ、造形品（造形玩具、造形展示品など）、仮設建造物などとして利用できる中空多面体を容易に形成できる折り畳み式中空多面体に関する。
【背景技術】
【０００２】
中空多面体状の造形玩具や容器は、例えば、多面体の各面を形成するシート状単位と、この単位の各辺から折り曲げ可能に延出する延出片とを備えたシート状の多面形成体を利用して組み立てられている。例えば、特開昭５０−７７１７１号公報（特許文献１）には、中空体構成要素主体を、正三角形の外側面体と、この外側面体に連なる外側面体側に屈曲せしめた複数の衝合片部とから構成した中空体構成要素が開示されている。この文献には、このような構成要素を組み合わせて少なくとも四面体以上の偶数面体を構成することも記載されている。しかし、前記構成要素では、衝合片部の内側面を他の衝合片部の内側面と衝合する必要があるため、中空体の組み立て作業が煩雑である。
【０００３】
特開平７−２９１２６１号公報（特許文献２）には、多面体を構成する各面の形状を有する基本面とその各辺の各左又は各右半分に舌状突出部を設けた単位シート片に、順次に別の同様のシート片の各突出部を基本面の表側に重ねてすくみあいの状態に組み合わせて固定する多面体の形成方法が開示されている。しかし、この方法でも、舌状突出部を重ねながら組み合わせるため、組み立て作業を簡便に行うことができない。
【０００４】
実開昭５２−１２３０３４号公報（特許文献３）には、折り線を介して設けた両片の先端に２個の半円状の係止部を設け、これらの２個の係止部の凹部の中間点が、前記折れ線の長さが一辺を構成する正多角形、又は前記折れ線の長さが任意の一辺を構成する二等辺三角形、長方形あるいは菱形の中心点に相当する組立箱用素片が開示されている。この素片でも、互いに隣接する素片において、係止部の一方の半円部を上にし、他方の半円部を下にして絡ませることにより、中空箱を形成できるが、中空箱の組み立て作業が煩雑である。特に、中空箱の面の数が増えるにつれて、半円部の折り重ね可能な空間域が小さくなるため、係止部の係止作業が難しくなる。
【０００５】
特開２００８−１６２６４８号公報（特許文献４）には、偶数面を有する中空多面体の各面を構成する複数の基本要素部材と、これらの基本要素部材のうち、閉じ状態で前記中空多面体の１又は連なる複数の稜線を形成し、かつ開閉可能な少なくとも１つの開口部を形成する開閉要素部材と、これらの開閉要素部材の開口縁を除き、互いに隣接する前記基本要素部材を折り曲げ可能に接続する連結部とを備えており、前記開閉要素部材が、前記開口部を隔てて互いに対向し、かつ互いに隣接する二対の要素部材で構成されている折り畳み式中空多面体が開示されている。この折り畳み式中空多面体は、開閉操作により中空の多面体を容易に形成できる。しかし、特許文献４に係る発明は多面体を形成することを主眼としており、造形性などを向上させるには制限がある。
【先行技術文献】
【特許文献】
【０００６】
【特許文献１】特開昭５０−７７１７１号公報（特許請求の範囲、図１）
【特許文献２】特開平７−２９１２６１号公報（特許請求の範囲）
【特許文献３】実開昭５２−１２３０３４号公報（実用新案登録請求の範囲、図１）
【特許文献４】特開２００８−１６２６４８号公報（特許請求の範囲、図１）
【発明の概要】
【発明が解決しようとする課題】
【０００７】
従って、本発明の目的は、簡単な開閉又は折り畳み操作で立体形状の中空多面体を形成できる造形性の高い折り畳み式中空多面体を提供することにある。
【０００８】
本発明の他の目的は、外観に優れる対称形状の中空多面体を容易に形成できる折り畳み式中空多面体を提供することにある。
【０００９】
本発明のさらに他の目的は、収容又は収納スペースが小さく、しかも容易に（例えば、１回の操作で）立体化できる折り畳み式中空多面体を提供することにある。
【課題を解決するための手段】
【００１０】
本発明者は、前記課題を達成するため鋭意検討した結果、偶数多角形状（四角形状など）の第１の面と三角形状の第２の面とを備えた奇数面の中空多面体（例えば、四角錐状中空多面体などの多角錐状中空多面体や多角柱状又は多角錐柱状中空多面体）において、中空多面体の各面を構成する基本要素部材を、中空多面体の頂部交点を経て直線状に延びる稜線に沿って開口可能な形態で互いにヒンジ式に連結すると、開口部の開閉操作により立体形状の中空多面体を形成できることを見いだし、本発明を完成した。
【００１１】
すなわち、本発明の折り畳み式中空多面体は、立体形状において、偶数多角形状（四角形状など）の第１の面と、この第１の面に一辺を共有して隣接する複数の三角形状の第２の面とを備え、奇数面を有する中空多面体であって、前記中空多面体の各面を構成する基本要素部材と、前記中空多面体の頂部交点を経て直線状に延びる稜線に沿って開口可能な形態で、前記複数の基本要素部材を互いにヒンジ式に連結する連結部とを備えており、開口部の開閉操作により立体形状の中空多面体を形成できる。
【００１２】
この折り畳み式又は折り畳み可能な中空多面体は、中空多面体の各面を構成する基本要素部材が互いにヒンジ式に連結され、かつ中空多面体の頂部交点を経て直線状に延びる稜線に沿って開口可能であり、開口部の閉じ操作により隣接する複数の基本要素部材が拡がって立体形状を形成でき、開口操作（又は離反操作）により隣接する複数の基本要素部材が収縮して平面状に折り畳むことができる。
【００１３】
本発明の折り畳み式中空多面体は、奇数面を有する多角錐状中空多面体と奇数面を有する角柱状多面体（多角柱状又は多角錐柱状中空多面体など）とに大別できる。すなわち、多角錐状中空多面体のうち折り畳み可能な四角錐状中空多面体は、立体形状において、１つの四角形状の第１の面を構成する第１の基本要素部材と、この第１の面に一辺を共有して隣接し、かつ前記第１の面に対して傾斜した頂部（又は傾斜面）を形成する偶数の三角形状の第２の面を構成する第２の基本要素部材とを備えている。前記第１の基本要素部材は、対角線に沿って折り曲げ可能な少なくとも一対（一対又は二対など）の三角形状の折曲要素部材を含み、互いに隣接する前記基本要素部材又は互いに隣接する折曲要素部材（例えば、二対の折曲要素部材）は、互いに対向し、かつ開閉可能な少なくとも１つの開口部を形成する二対の開閉要素部材として形成されている。そして、折り畳み式中空多面体は、これらの開閉要素部材の開口縁を除き、互いに隣接する前記基本要素部材又は折曲要素部材を折り曲げ可能に接続する連結部を備えている。
【００１４】
前記第１の基本要素部材は、対角線に沿って折り曲げ可能な一対又は二対の三角形状の折曲要素部材を含み、二対の開閉要素部材は、四角錐状中空多面体の頂部交点を経て直線状に延びる稜線に沿って開口可能であってもよい。四角錐状中空多面体の開口部位は特に制限されず、例えば、四角錐状中空多面体の頂点から延びる稜線、隣接する第２の基本要素部材と隣接する第１の基本要素部材とが交差して直線状に延びる稜線、又は一対又は二対の折曲要素部材で形成された四角錐状中空多面体の底面の対角線に沿って開口可能であってもよい。
【００１５】
また、折り畳み可能な角柱状中空多面体（例えば、多角柱状又は多角錐柱状中空多面体）は、立体形状において、周方向に連なる複数の四角形状の第１の面を構成する第１の基本要素部材と、この第１の面による周面の開放辺又は端に一辺を共有して隣接し、かつ前記第１の面による周面に対して（１）平坦面（多角形状平坦面）又は（２）頂部を有する傾斜面（角錐状傾斜面）を形成する複数（偶数又は奇数）の三角形状の第２の面を構成する第２の基本要素部材とを備えている。また、前記第１の面が周方向に連なって奇数面を形成するとき、少なくとも１つの前記第１の基本要素部材は、周方向に対して直交する方向に延びる第１の折り曲げ部に沿って折り曲げ可能な第１の折曲要素部材（例えば、一対の四角形状の第１の折曲要素部材）を含むとともに、この第１の折曲要素部材の第１の折り曲げ部に隣接する第２の基本要素部材は、閉じ状態で前記第１の折り曲げ部に連なって延びる第２の折り曲げ部に沿って折り曲げ可能な三角形状の第２の折曲要素部材（例えば、一対の三角形状の第２の折曲要素部材）を含んでいる。
【００１６】
さらに、折り畳み可能な角柱状中空多面体（例えば、多角柱状又は多角錐柱状中空多面体）において、互いに隣接する前記第１及び第２の基本要素部材又は互いに隣接する第１及び第２の折曲要素部材は、互いに対向し、かつ開閉可能な少なくとも１つの開口部を形成する二対の開閉要素部材として形成され、これらの開閉要素部材の開口縁を除き、互いに隣接する前記各要素部材を折り曲げ可能に接続する連結部を備えている。
【００１７】
なお、多角柱状中空多面体の平坦面（多角形状平坦面）は、対角線に沿って切離された一対又は複数対の三角形状の第２の基本要素部材で構成してもよい。前記二対の開閉要素部材は、多角錐柱状中空多面体の頂部交点を経て直線状に延びる稜線に沿って開口可能であってもよい。また、角柱状中空多面体の開口部位は特に制限されず、例えば、角柱状中空多面体が多角錐柱状中空多面体である場合、多角錐柱状中空多面体の頂点から直線状に延びる稜線、互いに隣接する一対の第１及び第２の基本要素部材間を直線状に延びる稜線であってもよく、平坦面（底部及び／又は天部の多角形状平坦面）を有する角柱状中空多面体である場合、一対又は二対の折曲要素部材で形成された多角錐柱状中空多面体の平坦面（多角形状平坦面）の対角線に沿って開口可能であってもよい。
【００１８】
前記三角形状の第２の面を構成する基本要素部材（例えば、前記第２の基本要素部材）は、立体形状において、頂点を中心として互いに隣接して周方向に連なる奇数面又は偶数面を形成していてもよい。さらに、前記基本要素部材（又は第２及び第２の基本要素部材、折曲要素部材及び開閉要素部材）は、中空多面体の面を構成すればよく、平面状のプレートで形成してもよく、梁又は骨組み部材で構成してもよい。例えば、連結部によりヒンジ式に連結された基本要素部材（例えば、第１及び第２の基本要素部材）は、トラス構造を有していてもよい。
【００１９】
これらの中空多面体では、互いに対向する二対の前記開閉要素部材を近づけて閉じると、各開閉要素部材は多面体の面を形成しつつ、前記開閉要素部材に隣接する複数の基本要素部材が拡がって、内部空間を有する中空多面体を形成する。逆に、互いに対向する二対の前記開閉要素部材を離反させると、前記開閉要素部材に隣接する複数の要素部材が収縮する。
【００２０】
なお、本明細書において用語「折り畳み式」は「開閉式」と同義に用いる。また、前記のように、基本要素部材は、直接的又は間接的に中空多面体の平面を構成すればよく、プレート又はシート状部材であってもよく、プレート又はシート状部材の貼付又は固体などにより平面を形成可能な梁又は骨組み部材であってもよい。
【発明の効果】
【００２１】
本発明では、簡単な開口部の閉じ操作（例えば、１回の閉じ操作）により奇数面を有する立体形状の中空多面体を形成でき、造形性を高めることができる。また、外観に優れる対称形状の中空多面体も容易に形成できる。さらに、折り畳み操作により、多面体を平面状に折り畳むことができるため、収容又は収納スペースを小さくできる。
【図面の簡単な説明】
【００２２】
【図１】図１は本発明の折り畳み式中空多面体の一例を示す概略図であり、図１（ａ）は中空多面体の折り畳み状態を示す平面図、図１（ｂ）は中空多面体の開口状態を示す概略斜視図、図１（ｃ）は中空多面体の立体形状を示す概略斜視図である。
【図２】図２は本発明の折り畳み式中空多面体の他の例を示す概略図であり、図２（ａ）は中空多面体の折り畳み状態を示す平面図、図２（ｂ）は中空多面体の開口状態を示す概略斜視図、図２（ｃ）は中空多面体の立体形状を示す概略斜視図である。
【図３】図３は本発明の折り畳み式中空多面体のさらに他の例を示す概略図であり、図３（ａ）は中空多面体の折り畳み状態を示す平面図、図３（ｂ）は中空多面体の開口状態を示す概略斜視図、図３（ｃ）は中空多面体の立体形状を示す概略斜視図である。
【図４】図４は本発明の折り畳み式中空多面体の別の例を示す概略図であり、図４（ａ）は中空多面体の折り畳み状態を示す平面図、図４（ｂ）は中空多面体の開口状態を示す概略斜視図、図４（ｃ）は中空多面体の立体形状を示す概略斜視図である。
【図５】図５は本発明の折り畳み式中空多面体の一例を示す概略図であり、図５（ａ）は中空多面体の折り畳み状態を示す平面図、図５（ｂ）は中空多面体の開口状態を示す概略斜視図、図５（ｃ）は中空多面体の立体形状を示す概略斜視図である。
【図６】図６は本発明の折り畳み式中空多面体の他の例を示す概略図であり、図６（ａ）は中空多面体の折り畳み状態を示す平面図、図６（ｂ）は中空多面体の開口状態を示す概略斜視図、図６（ｃ）は中空多面体の立体形状を示す概略斜視図である。
【図７】図７は本発明の折り畳み式中空多面体のさらに他の例を示す概略図であり、図７（ａ）は中空多面体の折り畳み状態を示す平面図、図７（ｂ）は中空多面体の開口状態を示す概略斜視図、図７（ｃ）は中空多面体の立体形状を示す概略斜視図である。
【図８】図８は本発明の折り畳み式中空多面体の別の例を示す概略図であり、図８（ａ）は中空多面体の折り畳み状態を示す平面図、図８（ｂ）は中空多面体の開口状態を示す概略斜視図、図８（ｃ）は中空多面体の立体形状を示す概略斜視図である。
【図９】図９は図４及び図５に示す四角錐柱状中空多面体の変更例を示し、図９（ａ）〜図９（ｇ）は、それぞれ四角錐柱状中空多面体の折り畳み状態を示す平面図である。
【図１０】図１０は本発明の折り畳み式中空多面体の他の例を示す概略斜視図である。
【発明を実施するための形態】
【００２３】
以下に、添付図面を参照しつつ本発明を詳細に説明する。なお、本発明の中空多面体の理解を容易にするため、奇数面を有する多角錐状中空多面体と角柱状中空多面体（多角柱状中空多面体、多角錐柱状中空多面体）とに分けて説明する。なお、図中、二重太線は折り曲げ線、一重細線は開口部の開口縁を示す（以下、折り畳み状態を示す平面図において同じ）。
【００２４】
［奇数面を有する多角錐状中空多面体］
図１は折り畳み式中空多面体の一例を示す概略斜視図である。
【００２５】
この例では、５つの基本要素部材（５つの面）で形成された四角錐状中空多面体１が示されている。すなわち、四角錐状中空多面体１は、１つの四角形状（この例では、正四角形状）の第１の面（平坦な底面）を構成する第１の基本要素部材２(2a,2b)と、この第１の面の各辺に一辺を共有又は同じくして隣接し、かつ前記第１の面に対して傾斜した頂部（傾斜面）を形成する４つの三角形状（この例では、正三角形状）の第２の面を構成する第２の基本要素部材３(3a,3b,3c,3d)とを備えている。
【００２６】
第１の基本要素部材２(2a,2b)は、対角線に沿って折り曲げ可能な一対の三角形状（直角二等辺三角形状）の折曲要素部材2a,2bで構成されており、各折曲要素部材2a,2bの傾斜辺には、それぞれ第２の基本要素部材３(3a,3b,3c,3d)が折り曲げ可能に接続されている。
【００２７】
そして、互いに隣接する二対の第２の基本要素部材（すなわち、互いに隣接する一対の第２の基本要素部材3a及び3bと互いに隣接する一対の第２の基本要素部材3c及び3d）は、互いに対向しており、かつ開閉可能な１つの開口部５を形成する二対の開閉要素部材として形成されている。換言すれば、立体形状の傾斜面を形成する第２の基本要素部材３(3a,3b,3c,3d)において、閉じ状態で四角錐状中空多面体１の頂点を経て直線状に延びる稜線部は連結することなく切離又は遊離されており、この稜線部（開口縁）に沿って開口部５が開閉可能である。なお、前記第１の基本要素部材２(2a,2b)の折り曲げ部は、開口可能な稜線部に対して直交する方向に延びて形成されている。換言すれば、第１の基本要素部材２(2a,2b)と第２の基本要素部材３(3a〜3d)との隣接部は、前記開閉要素部材（この例では第２の基本要素部材３(3a〜3d)）の開口縁を除き、ヒンジ式連結部位（薄肉部）（図示せず）を介して折り曲げ可能に形成されている。
【００２８】
なお、折り畳んだ平面形状は、直角二等辺三角形状の折曲要素部材2a(2b)と、この折曲要素部材2a(2b)の斜辺に一辺を隣接させた正三角形状の第２の基本要素部材3a,3c(3b,3d)とで形成されたほぼ四角形状の形態を有しており、四角錐状中空多面体１はこのような平面形状が二層の形態で重ね合わせた構造を有している。
【００２９】
このような四角錐状中空多面体１では、折り畳まれた状態（図１（ａ））から開閉要素部材（第２の基本要素部材３(3a〜3d)）を直角二等辺三角形状の第１の基本要素部材２ａ，２ｂの頂点方向に進退動させることにより開口部５を開閉でき、四角錐状中空五面体１を形成できる。例えば、図１（ｂ）に示すように、開口部５の閉じ操作により、各一対の開閉要素部材3a,3c(3b,3d)は、四角錐状に周方向に連なった４つの正三角形状の面を形成するとともに、二対の開閉要素部材3a〜3dに隣接する第１の基本要素部材2a,2bの頂部は、折り曲げ部（図中、底辺）を基点として互いに離反する外方向に拡がって正方形状の面を形成し、縦方向の中心線を中心として対称構造の四角錐状中空五面体（図１（ｃ））を形成できる。
【００３０】
なお、四角錐状中空多面体において、開閉可能な開口部は、頂点から延びる稜線に限らず適所に形成でき、底面と傾斜面とが交差する稜線（隣接する第２の基本要素部材と隣接する第１の基本要素部材とが交差して直線状に延びる稜線）、底面の対角線（一対又は二対の折曲要素部材で形成された四角錐状中空多面体の底面の対角線）に沿って形成してもよい。
【００３１】
図２は本発明の折り畳み式中空多面体の他の例を示す概略斜視図である。この例では、四角錐状中空多面体において、底面の対角線に沿って開閉可能な開口部が形成されている。
【００３２】
すなわち、四角錐状中空多面体（四角錐状中空五面体）１１も、四角形状（正四角形状）の第１の面（底面）を構成する第１の基本要素部材１２(12a,12b,12c,12d)と、この第１の面（底面）に一辺を共有して隣接し、かつ前記第１の面（底面）に対して傾斜した頂部（傾斜面）を形成する４つの三角形状（正三角形状）の第２の面を構成する第２の基本要素部材１３(13a,13b,13c,13d)とを備えている。
【００３３】
前記第１の面（底面）を構成する第１の基本要素部材１２は、四角錐状中空多面体１１の底面を第１の対角線に沿って切離した形態を有し、かつ第２の対角線に沿って折り曲げ可能な二対の折曲要素部材（直角部又は一方の斜辺を隣接させて折り曲げ可能な二対の直角二等辺三角形状の折曲要素部材）12a,12b,12c,12dを含んでいる。さらに、互いに隣接する一対の基本要素部材12a,12bと互いに隣接する一対の基本要素部材12c,12dとは互いに対向して、開閉可能な開口部１５を形成する二対の開閉要素部材として形成されている。すなわち、互いに対向する二対の開閉要素部材12a,12bと12c,12dとの対向部は開口縁を形成し、閉じ状態で第１の面（底面）を形成する。
【００３４】
そして、開閉要素部材12a〜12dの開口縁を除き、隣接する各要素部材１２(12a〜12d)及び１３(13a〜13d)はそれぞれ薄肉部で接続され、ヒンジ式に折り曲げ可能である。
【００３５】
なお、折り畳んだ平面形状は、正三角形状の第２の基本要素部材13a,13c（13b,13d）の一辺を隣接させた菱形状の面（傾斜面を形成する面）と、この菱形状の面の隣り合う辺に斜辺を隣接させた直角二等辺三角形状の折曲要素部材又は基本要素部材12a,12c（12b,12d）とで形成されたほぼ五角形状の形態を有しており、四角錐状中空多面体１１はこのような平面形状が二層状に重ね合わせた構造を有している。
【００３６】
このような中空多面体１１では、折り畳まれた状態（図２（ａ））から開閉要素部材12a〜12dの開口縁を近づけることにより、中空多面体１１の底面で、対角線に沿って開口部１５を開閉でき、四角錐状中空五面体１１を形成できる。例えば、図２（ｂ）に示すように、開口部１５の閉じ操作により、各一対の開閉要素部材12a,12b(12c,12d)は、四角形状の底面を形成するとともに、正三角形状の第２の基本要素部材13a〜13dは、折り曲げ部を基点として互いに離反する外方向に拡がって、四角錐状に周方向に連なった４つの正三角形状の面を形成し、縦方向の中心線を中心として対称構造の四角錐状中空五面体（図２（ｃ））を形成できる。
【００３７】
図３は本発明の折り畳み式中空多面体のさらに他の例を示す概略斜視図である。この例では、四角錐状中空多面体（５面体）において、底面と傾斜面とが交差する稜線に沿って開閉可能な開口部が形成されている。
【００３８】
四角錐状中空多面体（５面体）２１も、前記と同様に、１つの正四角形状の第１の面（平坦な底面）を構成する第１の基本要素部材２２(22a,22b)と、この第１の面の各辺に一辺を共有又は同じくして隣接し、かつ前記第１の面に対して傾斜した頂部（傾斜面）を形成する４つの正三角形状の第２の面を構成する第２の基本要素部材２３(23a,23b,23c,23d)とを備えている。
【００３９】
この例では、第１の面（平坦な底面）を構成する第１の基本要素部材２２は、互いに斜辺を隣接させ、かつ折り曲げ可能な直角二等辺三角形状の一対の折曲要素部材22a,22bを含んでおり、この一対の折曲要素部材22a,22bを展開することにより正四角形状の第１の面を形成する。さらに、一対の折曲要素部材22a,22bの垂辺には、平面形状が菱形状の形態で第２の基本要素部材23a〜23dが折り曲げ可能に接続それている。すなわち、一対の折曲要素部材22a,22bの垂辺には、それぞれ正三角形状の一対の第２の基本要素部材23a,23bの一辺が隣接し、この第２の基本要素部材23a,23bの一辺にはさらにそれぞれ正三角形状の一対の第２の基本要素部材23c,23dの一辺が隣接し、第２の基本要素部材23a〜23d全体で平面形状（又は折り畳み形状）が菱形状の形態を有している。
【００４０】
そして、一対の折曲要素部材22a,22bと、第２の基本要素部材23a〜23dのうち一対の折曲要素部材22a,22bから遠い一対の第２の基本要素部材23c,23dとは、互いに対向して、開閉可能な開口部２５を形成する二対の開閉要素部材として形成されている。すなわち、互いに対向する二対の開閉要素部材22a,22b と23c,23d との対向部は開口縁を形成し、閉じ状態で一対の折曲要素部材22a,22bは第１の面（底面）を形成する。さらに、開閉要素部材22a,22b,23c,23dの開口縁を除き、隣接する第１の基本要素部材２２(22a,22b)及び第２の基本要素部材２３(23a,23b,23c,23d)は薄肉部（図示せず）で接続され、ヒンジ式に折り曲げ可能である。
【００４１】
このような中空多面体２１でも、図３（ａ）〜図３（ｃ）に示すように、折り畳まれた状態（図３（ａ））から開閉要素部材22a,22b,23c,23dの端部を近づけることにより図３（ｂ）に示すように、開口部２５を開閉でき、図３（ｃ）に示すように、さらに開口部２５の閉じ操作により一対の折曲要素部材22a,22bで第１の面（底面）を形成しつつ、周方向に連なる４つの正三角形状の面で四角推部を形成し、対称構造の中空五面体を形成できる。
【００４２】
なお、四角錐状中空多面体などの奇数面を有する多角錐状中空多面体は、立体形状において、１つの多角形状（四角形状など）の第１の面を構成する第１の基本要素部材と、この第１の面に一辺を共有して隣接し、かつ前記第１の面に対して傾斜した頂部（傾斜面）を形成する偶数（例えば、４つの）の三角形状の第２の面を構成する第２の基本要素部材とを備えていればよい。第１の面は偶数角形（例えば、四角形、六角形、八角形など）、特に正偶数角形（例えば、正四角形）である場合が多く、第２の面は二等辺三角形又は正三角形である場合が多い。前記第１の基本要素部材は、多角形状（四角形状など）の第１の面を形成するとともに、折り曲げ可能とするため、三角形状の折曲要素部材を含んでいればよい。この三角形状の折曲要素部材は、多角形状（四角形状など）の第１の面の対角線に沿って折り曲げ可能な少なくとも一対の要素部材で構成すればよく、図１〜図３に示すように、通常、一対又は二対の要素部材で構成できる。折曲要素部材は、多角形状（四角形状など）の第１の面を形成するため、通常、直角三角形である場合が多く、折り曲げの形態に応じて、直角二等辺三角形又は直角不等辺三角形であってもよい。
【００４３】
これらの要素部材（前記基本要素部材又は折曲要素部材）は、互いに対向し、かつ開閉可能な少なくとも１つの開口部を形成する二対の開閉要素部材を含んでおり、開口可能なこれらの二対の開閉要素部材は、前記のように、多角錐状（例えば、四角錐状）の中空多面体の頂部交点を経て直線状に延びる稜線（例えば、頂点を跨ぐ稜線など）又は底面の対角線に沿って適所に形成できる。なお、開口可能な底面は、通常、四角錐状中空多面体の底面の対角線に沿って開口可能であり、一対又は二対の折曲要素部材（又は開閉要素部材）で形成できる。多角錐状中空多面体（奇数面を有する中空多面体）は、開閉要素部材の開口縁を除き、互いに隣接する前記基本要素部材又は折曲要素部材を折り曲げ可能に接続する連結部を備えている。
【００４４】
奇数面を有する中空多面体は、前記角錐状多面体の他、角柱状（例えば、多角柱状又は多角錐柱状）中空多面体であってもよい。また、多角錐柱状中空多面体においては、中空多角柱状体の少なくとも一方の開放端に角錐状部（多角錐状部）が位置し、他方の開放端に平坦面（多角状面）が位置していてもよく、中空多角柱状体の双方の開放端に平坦面（多角状面）又は角錐状部（多角錐状部）が位置していてもよい。
【００４５】
［角柱状中空多面体（多角柱状中空多面体、多角錐柱状中空多面体）］
図４は本発明の折り畳み式中空多面体の別の例を示す概略斜視図である。この例では、四角錐柱状中空多面体（中空九面体）が示されている。
【００４６】
この四角錐柱状中空多面体３１は、互いに周方向に連なって、四角枠状の空間を形成可能な４つの正四角形状の第１の面を構成する第１の基本要素部材32a,32b,32c,32dと、この第１の面（基本要素部材）の一方の開放辺（又は開放端）に一辺を共有して隣接し、かつ前記第１の面による周面に対して正四角形状の平坦面（又は底面，第２の面）を構成する第２の要素部材３３(33a,33b,33c,33d)と、第１の面（基本要素部材）の他方の開放辺（又は開放端）に一辺を共有して隣接し、かつ前記第１の面による周面に対して四角錐状の傾斜面（第２の面）を構成する第２の要素部材３４(34a,34b,34c,34d)とを備えている。前者の第２の要素部材３３(33a,33b,33c,33d)は、それぞれ、第１の面（基本要素部材）の一方の開放辺（又は開放端）に斜辺を共有して隣接した４つの直角二等辺三角形状の形態を有し、後者の第２の要素部材３４(34a,34b,34c,34d)は、第１の面（基本要素部材）の他方の開放辺（又は開放端）に一辺を共有させて隣接する正三角形状の形態を有している。
【００４７】
前者の第２の要素部材３３(33a,33b,33c,33d)は、中空多面体３１の底面を第１の対角線に沿って切離した形態を有し、かつ第２の対角線に沿って折り曲げ可能な二対の折曲要素部材（直角部又は一方の斜辺を隣接させて折り曲げ可能な二対の直角二等辺三角形状の折曲要素部材）33a,33c(33b,33d)を含んでいる。これら二対の折曲要素部材33a,33c(33b,33d)は互いに対向し、かつ折り曲げ操作に伴って開閉可能な開口部３５ａを形成する。また、後者の第２の要素部材３４(34a,34b,34c,34d)のうち互いに隣接する二対の要素部材34a,34c(34b,34d)は、前記二対の折曲要素部材33a,33c(33b,33d)に対応して、互いに対向し、かつ開閉可能な開口部３５ｂを形成する開閉要素部材として形成されている。
【００４８】
さらに、第１の基本要素部材32a〜32d、第２の要素部材３３(33a,33b,33c,33d)及び第２の要素部材３４(34a,34b,34c,34d)は、前記開口縁を除き、ヒンジ部を介して互いに隣接して折り曲げ可能に接続されている。
【００４９】
このような中空多面体３１では、二対の折曲要素部材33a,33c(33b,33d)及び二対の開閉要素部材34a,34c(34b,34d)を頂点方向に進退動させることにより、第１の基本要素部材32a,32c（32b,32d）により四角枠状の角柱部を形成しつつ、開口部35a,35bを形成でき、さらに閉じ操作により、二対の折曲要素部材33a,33c(33b,33d)は底面を形成し、二対の開閉要素部材34a,34c(34b,34d)は四角錐状に周方向に拡がった面を形成し、縦方向の中心線を中心として対称構造の中空九面体が形成される。
【００５０】
図５は本発明の折り畳み式中空多面体の一例を示す概略斜視図である。この例でも、四角錐柱状中空多面体（中空九面体）が示されている。
【００５１】
この三角柱状中空多面体４１は、前記図４の中空多面体と同様に、互いに周方向に連なって、四角枠状の空間を形成可能な４つの正四角形状の第１の面を構成する第１の基本要素部材32a〜32dと、この第１の面の一方の開放辺（又は開放端）に一辺を共有して隣接し、かつ前記第１の面による周面に対して正四角形状の平坦面（又は底面，第２の面）を構成する第２の要素部材３３(33a,33b,33c,33d)とを備えている。また、前記と同様に、前記第２の要素部材３３(33a,33b,33c,33d)は、中空多面体４１の底面を形成し、対角線に沿って折り曲げ可能な二対の折曲要素部材（二対の直角二等辺三角形状の折曲要素部材）33a,33c(33b,33d)を含んでいる。
【００５２】
一方、前記第１の面による周面に対して四角錐状の傾斜面（正三角形状の第２の面）を構成する第２の要素部材４４(44a,44b,44c,44d)は、折り畳み状態（又は平面形状）において、互いに隣接する第１の基本要素部材32a,32c(32b,32d）のうち一方の一対の基本要素部材32a,32cの他方の開放辺（又は開放端）に一辺を共有して隣接する一方の一対の正三角形状の第２の要素部材44a,44cと、この第２の要素部材44a,44cの辺のうち他方の一対の基本要素部材32b,32dの側に位置する辺に一辺を共有して菱形状の形態で隣接する他方の一対の正三角形状の第２の要素部材44b,44dとで構成されている。
【００５３】
そして、前記他方の一対の基本要素部材32b,32dと他方の一対の正三角形状の第２の要素部材44b,44dとは互いに対向し、かつ折り曲げ操作に伴って開閉可能な開口部４５ｂを形成する二対の開閉要素部材として形成されている。また、さらに、第１の基本要素部材32a〜32d、第２の要素部材３３(33a,33b,33c,33d)及び第２の要素部材４４(44a,44b,44c,44d)は、前記開口縁を除き、ヒンジ部を介して互いに隣接して折り曲げ可能に接続されている。
【００５４】
このような中空多面体４１でも、二対の折曲要素部材33a,33c(33b,33d)及び二対の開閉要素部材44a,44c(44b,44d)の進退動又は開閉道により、四角枠状の角柱部を形成しつつ、開口部３５ａ,４５ｂを形成でき、さらに閉じ操作により、四角枠状の角柱部の底面と周方向に拡がった四角錐状面を形成でき、縦方向の中心線を中心として対称構造の中空九面体を形成できる。
【００５５】
図６は本発明の折り畳み式中空多面体の他の例を示す概略斜視図である。この例では、正三角柱状中空多面体（三角柱状５面体）が示されている。
【００５６】
この中空多面体５１は、周方向に連なる３つの正方形状の第１の面を形成する第１の基本要素部材52a〜52cと、この第１の基本要素部材（又は第１の面）による周面（中空三角柱周面）のうち互いに隣接する基本要素部材52a,52cの上下双方の開放辺（又は開放端）に斜辺を共有して隣接し、かつ前記第１の面による周面に対して平坦面（底面及び上面）を形成する直角不等辺三角形状の第２の面を構成する第２の基本要素部材53,54とを備えている。
【００５７】
また、第２の基本要素部材53,54が接続されていない前記１つの第１の基本要素部材52bの幅方向（周方向）の中央部には、周方向に対して直交する方向（軸方向）に延びる第１の折り曲げ部が形成され、前記第１の基本要素部材52bは、この第１の折り曲げ部に沿って折り曲げ可能な一対の四角形状（長方形状）の第１の折曲要素部材52b1,52b2を含んでいる。また、この第１の折曲要素部材の第１の折り曲げ部に隣接する第２の基本要素部材53,54は、それぞれ、閉じ状態で前記第１の折り曲げ部に連なって延びる第２の折り曲げ部に沿って折り曲げ可能な一対の三角形状（直角二等辺三角形状）の第２の折曲要素部材53a,53b,54a,54bを含んでいる。各一対の第２の折曲要素部材53a,53b（54a,54b）はそれぞれ垂直辺（又は直角部）を隣接させて正三角形状の平坦面（底面及び上面）を形成する。
【００５８】
そして、第１の折曲要素部材52b1,52b2と第２の折曲要素部材53a,53b,54a,54bとは、互いに対向し、かつ中空三角柱の上下開口端で開閉可能な開口部55a,55bを形成する二対の開閉要素部材として形成されている。また、これらの開閉要素部材の開口縁を除き、互いに隣接する前記各要素部材は、ヒンジ部（薄肉部）で折り曲げ可能に接続されている。
【００５９】
このような正三角柱状中空多面体（三角柱状５面体）５１は、折り畳み状態から、長方形状の第１の折曲要素部材52b1,52b2を起立させて拡げると、開口部55a,55bが形成され、さらに開口部55a,55bを閉じる操作（さらに起立させて拡げる操作）により、長方形状の第１の折曲要素部材52b1,52b2が正方形状の第１の基本要素部材52bを形成して正三角形の枠体を形成しつつ、各一対の第２の折曲要素部材53a,53b（54a,54b）がそれぞれ垂直辺（又は直角部）を隣接させて、正三角形の枠体の上下部を閉じ、正三角形状の平坦面（底面及び上面）を形成する。
【００６０】
図７は本発明の折り畳み式中空多面体のさらに他の例を示す概略斜視図であり、この例では、三角錐柱状中空多面体（７面体）が示されている。
【００６１】
この例では、三角錐柱状中空多面体（７面体）６１は、図６に示す中空多面体の例において、第１の基本要素部材（又は第１の面）52a〜52cによる周面（中空三角柱周面）のうち互いに隣接する基本要素部材52a,52cの一方（この例では、上部）の開放辺（又は開放端）に一辺を共有して隣接し、かつ前記第１の面による周面に対して傾斜面（頂部を有する傾斜面）を形成する正三角形の第２の面（周方向に三角錐状の面を形成する正三角形の面）を構成する第２の基本要素部材63を備えている以外、図６の多面体と同様に形成されている。すなわち、第１の基本要素部材52a,52cの上部の開放辺（又は開放端）にはそれぞれ一辺を隣接させて正三角形状の第２の基本要素部材63a,63bが接続されており、この第２の基本要素部材63a,63bの斜辺（第１の基本要素部材52b側の斜辺）には、斜辺を隣接させた一対の直角二等辺三角形状の第２の基本要素部材63c1,63c2が隣接しており、一対の直角二等辺三角形状の第２の基本要素部材63c1,63c2は、前記図６の折曲要素部材53a,53bと同様に、折曲要素部材を形成し、閉じ操作により正三角形状の第２の面（傾斜面）63cを形成する。また、前記第１の基本要素部材52bを形成し、かつ第１の折り曲げ部に沿って折り曲げ可能な一対の長方形状の第１の折曲要素部材52b1,52b2の上下開口端と、一対の直角二等辺三角形状の第２の基本要素部材（折曲要素部材）63c1,63c2の開口端と、一対の第２の折曲要素部材54a,54bの開口端とは、互いに対向し、かつ開閉可能な２つの開口部（上部の開口部65bと底部の開口部55a）を形成する二対の開閉要素部材として形成されている。
【００６２】
このような中空体６１では、折り畳み状態から長方形状の第１の折曲要素部材52b1,52b2を起立させて拡げると、前記と同様に、開口部55a,65bの形成を経て、正方形状の第１の基本要素部材52bを形成して正三角形の枠体を形成しつつ、一対の直角二等辺三角形状の第２の基本要素部材（折曲要素部材）63c1,63c2により正三角形状の第２の面を形成して三角錐状部を形成し、一対の第２の折曲要素部材54a,54bにより、前記と同様に、正三角形の枠体の下部を閉じて、正三角形状の平坦面（底面）を形成できる。
【００６３】
図８は本発明の折り畳み式中空多面体の別の例を示す概略斜視図であり、この例では、双三角錐柱状中空多面体（９面体）が示されている。
【００６４】
この例では、双三角錐柱状中空多面体（９面体）７１は、図６に示す中空多面体において、第１の基本要素部材（又は第１の面）52a〜52cによる周面（中空三角柱周面）のうち互いに隣接する基本要素部材52a,52cの双方の開放辺（又は開放端）に一辺を共有して隣接し、かつ前記第１の面による周面に対して傾斜面（頂部を有する傾斜面）を形成する正三角形の第２の面（周方向に三角錐状の面を形成する正三角形の面）を構成する第２の基本要素部材73,74を備えている以外、図６の多面体と同様に形成されている。すなわち、第１の基本要素部材52a,52cの上下部の開放辺（又は開放端）にはそれぞれ一辺を隣接させて正三角形状の第２の基本要素部材73a,73b（74a,74b）が接続されており、この第２の基本要素部材73a,73b（74a,74b）の斜辺（第１の基本要素部材52b側の斜辺）には、斜辺を隣接させた一対の直角二等辺三角形状の第２の基本要素部材73c1,73c2(74c1,74c2)が隣接しており、これら一対の直角二等辺三角形状の第２の基本要素部材73c1,73c2(74c1,74c2)は、前記図６の折曲要素部材53a,53bと同様に、折曲要素部材を形成し、閉じ操作により正三角形状の第２の面（傾斜面）を形成する。また、前記第１の基本要素部材52bを形成し、かつ第１の折り曲げ部に沿って折り曲げ可能な一対の長方形状の第１の折曲要素部材52b1,52b2の上下開口端と、一対の直角二等辺三角形状の第２の基本要素部材（折曲要素部材）73c1,73c2(74c1,74c2)の開口端とは、互いに対向し、かつ開閉可能な２つの開口部（上部の開口部75bと底部の開口部75a）を形成する二対の開閉要素部材として形成されている。
【００６５】
このような中空体７１では、折り畳み状態から長方形状の第１の折曲要素部材52b1,52b2を起立させて拡げると、前記と同様に、開口部75a,75bの形成を経て、正方形状の第１の基本要素部材52bを形成して正三角形の枠体を形成しつつ、一対の直角二等辺三角形状の第２の基本要素部材（折曲要素部材）73c1,73c2(74c1,74c2)により正三角形状の第２の面を形成して三角錐状部を形成できる。
【００６６】
奇数面を有する角柱状中空多面体（多角柱状中空多面体、多角錐柱状中空多面体）は、立体形状において、周方向に連なる複数の四角形状の第１の面を構成する第１の基本要素部材を備えている。この四角形状の第１の面は、奇数面（３、５又は７面など）であってもよく偶数面（４、６又は８面など）であってもよく、多角柱状の枠体を形成する。四角形状の第１の面の数は、通常、３〜６面程度である。また、第１の面は、長方形状又は正方形状のいずれであってもよい。
【００６７】
第２の基本要素部材は、三角形状の第２の面を構成しており、第１の面による周面の開放辺（又は開放端）に一辺を共有して隣接して接続され、かつ前記第１の面による周面に対して（１）平坦面（多角形状の面）又は（２）頂部を有する傾斜面を形成する。複数の第２の基本要素部材は、第１の基本要素部材による第１の面の数及び多面体の形状に応じて、正三角形状、二等辺三角形状又は直角三角形状（二等辺又は不等辺直角三角形状）である場合が多い。第２の基本要素部材の数も、第１の面の数及び多面体の形状に応じて、偶数（４、６又は８など）又は奇数（３、５又は７など）であってもよく、通常、３〜６程度である場合が多い。角柱状中空多面体の平坦面（多角柱状体の上部及び／又は下部を形成する多角形状の面）を構成する第２の基本要素部材は、通常、対角線に沿って切離された一対又は複数対（例えば、二対）の三角形状の基本要素部材で構成されている。
【００６８】
さらに、前記第１の面が周方向に連なって奇数面を形成するとき、少なくとも１つの前記第１の基本要素部材が、周方向に対して直交する方向（又は多角柱状体の軸方向）に延びる第１の折り曲げ部に沿って折り曲げ可能な第１の折曲要素部材（例えば、一対の四角形状の第１の折曲要素部材）を含んでいる。前記第１の折り曲げ部は、第１の基本要素部材の周方向又は幅方向の中央部に形成する場合が多い。第１の面を形成する第１の折曲要素部材は正四角形状であってもよいが長方形状である場合が多い。また、この第１の折曲要素部材の第１の折り曲げ部に隣接する第２の基本要素部材には、閉じ状態（中空体の立体形態）で前記第１の折り曲げ部に連なって延びる第２の折り曲げ部が形成されており、前記第２の基本要素部材は、この第２の折り曲げ部に沿って折り曲げ可能な三角形状の第２の折曲要素部材（例えば、一対の三角形状の第２の折曲要素部材）を含んでいる。第２の折曲要素部材は、互いに隣接して三角形状の第２の面を形成するため、直角三角形状（特に、直角不等辺三角形状）である場合が多い。
【００６９】
そして、互いに隣接し、かつ対向する一対の要素部材は、開閉可能な少なくとも１つの開口部（通常、１又は２つの開口部）を形成する二対の開閉要素部材として形成され、これらの開閉要素部材の開口縁を除き、互いに隣接する前記各要素部材は連結部により折り曲げ可能に接続されている。前記開口部は、中空多面体の適所の稜線に沿って形成でき、例えば、多角錐柱状中空多面体の頂点から直線状に延びる稜線（例えば、頂点を跨ぐ稜線など）、互いに隣接する一対の第１及び第２の基本要素部材間を直線状に延びる稜線に沿って開口可能であってもよく、角柱状中空多面体の平坦面での開口部は対角線に沿って形成された一対又は二対の折曲要素部材で形成できる。
【００７０】
［奇数面を有する中空多面体］
さらに、本発明は、前記多角錐状中空多面体及び角柱状中空多面体（多角柱状中空多面体、多角錐柱状中空多面体）に限らず、奇数面を有する中空多面体に適用できる。本発明の中空多面体は、奇数面を有しており、通常、５面以上の多面体、例えば、５〜１５面体（好ましくは５〜９面体）である場合が多い。中空多面体は、立体形状において、多角形状（四角形状などの偶数多角形状）の第１の面と、この第１の面に一辺を共有して隣接する複数の三角形状の第２の面とを備えている。
【００７１】
中空多面体の各面を構成する基本要素部材の形状は、特に制限されないが、通常、三角形（正三角形、直角二等辺三角形、直角不等辺三角形）及び四角形（正方形、長方形）から選択された少なくとも一種の形状を有している。基本要素部材のうち第１の面を形成する基本要素部材は、三角形及び四角形（特に、正三角形、直角二等辺三角形及び四角形（又は正四角形））から選択された少なくとも一種の形状を有する要素部材で構成でき、三角形状の要素部材と四角形状の要素部材とを組み合わせて構成してもよい。四角形状の第１の面は、三角形状（互いに対角線に沿って形成される一対又は二対の三角形）又は四角形状の基本要素部材（前記第１の基本要素部材）で構成でき、三角形状の第２の面は、通常、三角形状（正三角形、直角二等辺三角形、直角不等辺三角形）の基本要素部材（前記第２の基本要素部材）で構成できる。なお、第２の面は、図５，図７及び図８に示されるように、中空多面体の形態に応じて、第１の面に一辺を共有して隣接させた基本要素部材だけで形成してもよく、第１の面に一辺を共有して隣接させた基本要素部材とともに、この基本要素部材の一辺に隣接した基本要素部材で形成してもよい。
【００７２】
三角形状の第２の面を構成する基本要素部材（前記第２の基本要素部材）が、立体形状において、第２の面として、頂点を中心として互いに隣接して周方向に連なる奇数面又は偶数面を形成すると、造形性を向上できる。また、中空多面体は、立体形状において、頂点又は中心軸を中心として非対称の形態であってもよいが、造形性を高めるためには対称の形態（対称形状の面が形成された立体形状）であるのが好ましい。
【００７３】
開口部は、前記中空多面体の適当な頂部交点を経て直線状に延びる稜線（前記頂部交点を跨いで直線状に延びる２つの稜線）に沿って開口可能な形態で形成できる。そして、前記複数の基本要素部材を連結部で互いにヒンジ式に連結することにより、開口部の開閉操作により立体形状又は平面状の中空多面体を形成できる。
【００７４】
なお、前記四角形状及び三角形状の第１及び第２の基本要素部材を種々の形態で組み合わせて、中空多面体を形成してもよい。
【００７５】
例えば、折り畳み状態を示す平面図である図９（ａ）〜図９（ｇ）に示されるように、図４及び図５に示す四角錐柱状中空多面体は、種々の形態で四角形状及び三角形状の第１及び第２の基本要素部材を組み合わせることにより形成できる。
【００７６】
図９（ａ）に示す例では、図４と異なり、一方の一対の基本要素（第１の面）32b,32dによる周面の一方の開放辺（又は開放端）に底面（第２の面）を構成する直角二等辺三角形の第２の要素部材93a,93bが接続されている。すなわち、四角錐柱状中空多面体は、周方向に連なって四角枠状の空間を形成可能な４つの第１の面（正四角形状の面）を構成する第１の基本要素部材32a,32b,32c,32dと、これらの第１の基本要素部材32a,32b,32c,32dのうち一方の一対の基本要素部材（第１の面）32b,32dによる周面の一方の開放辺（又は開放端）に一辺（垂辺）を共有して隣接し、かつ正四角形状の平坦面（又は底面，第２の面）を構成する直角二等辺三角形の第２の要素部材93a,93bと、前記第１の面（基本要素部材）による周面の他方の開放辺（又は開放端）に一辺を共有して隣接し、かつ四角錐状の傾斜面（第２の面）を構成する正三角形状の第２の要素部材３４(34a,34b,34c,34d)とを備えている。また、直角二等辺三角形の第２の要素部材93a,93bと他方の一対の第１の基本要素部材32a,32cとが対向して開口部を形成可能であり、正三角形状の二対の第２の要素部材34a,34c(34b, 34d)も互いに対向して開口部を形成可能である。
【００７７】
図９（ｂ）に示す例では、図５と異なり、一方の一対の基本要素部材（第１の面）32b,32dによる周面の一方の開放辺（又は開放端）に底面（第２の面）を構成する直角二等辺三角形の第２の要素部材93a,93bが接続されている。すなわち、前記と同様に周方向に連なる４つの第１の面（正四角形状の面）を構成する第１の基本要素部材32a〜32dと、これらの第１の基本要素部材のうち一方の一対の基本要素部材（第１の面）32b,32dによる周面の一方の開放辺（又は開放端）に一辺（垂辺）を共有して隣接し、かつ正四角形状の平坦面（又は底面，第２の面）を構成する直角二等辺三角形の第２の要素部材93a,93bと、前記第１基本要素部材のうち他方の一対の基本要素部材（第１の面）32a,32cによる周面の他方の開放辺（又は開放端）に一辺を共有して隣接し、かつ四角錐状の傾斜面（第２の面）を構成する正三角形状の第２の要素部材４４(44a,44b,44c,44d)とを備えており、第２の要素部材４４(44a,44b,44c,44d)は一辺を共有して菱形状の形態で隣接している。
【００７８】
また、直角二等辺三角形の第２の要素部材93a,93bと他方の一対の基本要素部材32a,32cが対向して開口部を形成可能であり、正三角形状の二対の第２の要素部材44a,44c(44b,44d)も互いに対向して開口部を形成可能である。
【００７９】
図９（ｃ）に示す例では、前記と同様に周方向に連なる４つの第１の面（正四角形状の面）を構成する第１の基本要素部材32a〜32dと、これらの第１の基本要素部材のうち他方の一対の基本要素部材32a,32cによる周面の一方の開放辺に一辺（垂辺）を共有して隣接し、かつ正四角形状の平坦面（又は底面，第２の面）を構成する直角二等辺三角形の第２の要素部材103a,103bと、前記他方の一対の基本要素部材（第１の面）32a,32cによる周面の他方の開放辺に一辺を共有して隣接し、かつ四角錐状の傾斜面（第２の面）を構成する正三角形状の第２の要素部材４４(44a,44b,44c,44d)とを備えており、第２の要素部材４４(44a,44b,44c,44d)は一辺を共有して菱形状の形態で隣接している。
【００８０】
なお、開口部は、角柱状中空多面体において軸方向に延びる角部（周方向に連なる複数の第１の面の隣接部、又は角柱部の稜線）に形成してもよい。換言すれば、互いに隣接し、かつ角柱部の稜線で互いに対向する第１の基本要素部材により、開口部を形成してもよい。この場合、開口部は、通常、第１の基本要素部材とともに、第１の基本要素部材に隣接する第２の基本要素部材により形成される。
【００８１】
図９（ｄ）に示す例では、周方向に４つの第１の面（正四角形状の面）が連なって形成される四角枠状の面（四角柱状の面）が、一方の一対の第１の基本要素部材112a,112cと他方の一対の第１の基本要素部材112b,112dとで構成され、これら二対の第１の基本要素部材112a,112c（112b,112d）による周面の一方の開放辺には二辺（垂辺）を共有して隣接し、かつ正四角形状の平坦面（又は底面，第２の面）を構成する直角二等辺三角形の第２の要素部材113a,113bが接続され、前記二対の第１の基本要素部材112a,112c（112b,112d）による周面の他方の開放辺には、それぞれ、一辺を共有して隣接し、かつ四角錐状の傾斜面（第２の面）を構成する正三角形状の一対の第２の要素部材34a,34c(34b,34d)が接続されている。この例では、折り畳み状態において、Ｌ字状の形態で隣接する内角に位置する二対の第１の基本要素部材112a,112c(112b,112d)と、正三角形状の一対の第２の要素部材34a,34c(34b,34d)とが、それぞれ互いに対向して開口部を形成する。
【００８２】
図９（ｅ）に示す例では、図９（ｄ）と異なり、四角錐状の傾斜面（第２の面）を構成する正三角形状の一対の第２の要素部材34a,34c(34b,34d)に代えて、他方の一対の第１の基本要素部材112a,112cに一方の一対の第２の要素部材34a,34cを接続することなく、一方の一対の第１の基本要素部材112b,112dによる周面の開放辺に、一辺を共有して隣接し、かつ四角錐状の傾斜面（第２の面）を構成する正三角形状の二対の第２の要素部材44a,44c(44b,44d)が接続されており、これらの二対の第２の要素部材44a,44c(44b,44d)は互いに一辺を共有して菱形状の形態で隣接している。
【００８３】
図９（ｆ）に示す例では、四角錐柱状中空多面体は、互いに一辺を共有して菱形状の形態で隣接し、かつ四角錐状の傾斜面（第２の面）を構成する正三角形状の二対の第２の要素部材124a,124c(124b,124d)と、これらの二対の第２の要素部材124a,124c(124b,124d)のうち菱形状の形態で隣接する辺にそれぞれ一辺を共有して隣接し、周方向に連なって四角柱状中空体の面（正四角形状の第１の面）を形成する各一対の第１の基本要素部材122a,122c(122b,122d)と、これら各一対の第１の基本要素部材122a,122c(122b,122d)による周面の開放端（第１の基本要素部材のうち前記第２の要素部材124a,124c(124b,124d)との接続部に対して反対側の開放縁）に一辺を共有して隣接し、正四角形状の平坦面（又は底面，第２の面）を形成する正三角形状の各一対の第２の基本要素部材123a,123c(123b,123d)とを備えている。
【００８４】
図９（ｇ）に示す例では、正三角形状の各一対の第２の基本要素部材123a,123c(123b,123d)で正四角形状の平坦面（又は底面，第２の面）を形成することなく、正四角形状の平坦面（又は底面，第２の面）を、各一対の第１の基本要素部材122a,122c(122b,122d)による周面の開放端に垂辺を共有させて隣接する直角二等辺三角形状の第２の基本要素部材133a,133bで形成する点を除いて、図９（ｆ）に示すのと同様の形態を有している。
【００８５】
このような形態の中空体であっても、一重細線で示す開口部の開口縁を近づけることにより、立体形状の中空多面体（四角錐柱状中空９面体）を形成でき、開口縁を遠ざけることにより、平面形状に折り畳むことができる。
【００８６】
中空多面体は、折り畳み状態（開口部の閉じ状態）において、平面形状である必要はないが、通常、収容又は収納スペースを低減するため、平面形状であるのが好ましい。中空多面体の平面形状（折り畳み状態又は開口部の閉じ状態の形状）は特に制限されず、中心線を基準として非対称であってもよいが、通常、収納又は収容スペースを低減するため、対称の平面形状である場合が多い。このような中空多面体は、平面形状に折り畳むことができるとともに、折り畳み（又は開口部の開き）操作により開口部の開き状態に応じて立体形状を形成できる。
【００８７】
前記基本要素部材は、面を構成すればよく、平面状部材（シート、プレート若しくはボードなど）で構成してもよく、梁又は骨組み部材で構成してもよく、平面状部材と梁又は骨組み部材とを組み合わせて構成してもよい。また、平面状部材の材質は、紙、木材、プラスチック、金属、セラミックスなどであってもよい。さらに、各要素部材には、補強性を付与するため、リブ（直線状、格子状などのリブ）を形成してもよい。
【００８８】
梁又は骨組み部材は、縦方向、横方向、斜め方向などに規則的又は不規則的に配して基本要素部材を構成でき、交差方向（縦横方向など）に配設して基本要素部材を構成してもよい。基本要素部材は、通常、フレームで構成でき、例えば、各要素部材の少なくとも１つの辺に対応する区画フレーム（特に、全ての辺に対応する区画フレーム、又は隣接する要素部材の隣接辺に対応する区画フレーム）と、これらの区画フレームのうち対向する部材間を連結する架設フレームとで構成できる。区画フレームは各要素部材に対応する枠体（又は枠状フレーム）を構成する場合が多く、架設フレームは、区画フレームのうち少なくとも１つの対向方向（縦方向及び／又は横方向、格子状）に配設する場合が多い。さらに、全ての基本要素部材が前記フレーム構造を有している必要はなく、基本要素部材のうち少なくとも１つの要素部材はトラス構造又は橋桁構造を有していてもよく、このような基本要素部材は、例えば、連結部によりヒンジ式に連結してもよい。なお、連結部は、互いに隣接する基本要素部材において、一方の要素部材の区画フレームと他方の要素部材の区画フレームとを連結してもよく、一方の要素部材の区画フレームと他方の要素部材の架設フレームの端部とを連結してもよく、一方の要素部材の架設フレームの端部と他方の要素部材の架設フレームの端部とを連結してもよい。フレームが構成された要素部材には、和紙などの紙を貼り合わせてもよく、パネルやボードなどを取り付けてもよい。
【００８９】
さらに、各要素部材は厚板状又は側面を介して梁又は骨組み部材で形成されたフレーム構造（特に、トラス構造）などであってもよく、側面もフレーム構造（特に、トラス構造）であってもよい。
【００９０】
図１０は本発明の折り畳み式中空多面体の他の例を示す概略斜視図である。この例では、各要素部材が枠状フレームを有している点を除き、図１に示すのと同様の中空多面体が示されている。すなわち、中空多面体１３１の基本要素部材は、図１の正四角形状の第１の面（平坦な底面）を構成する第１の基本要素部材２(2a,2b)（又は対角線に沿って折り曲げ可能な一対の直角等辺三角形状の折曲要素部材2a,2b）に対応する三角枠状のフレーム132a,132bと、前記第１の面に対して傾斜した頂部（傾斜面）を形成する４つの正三角形状の第２の面を構成する第２の基本要素部材３(3a,3b,3c,3d)に対応する三角枠状のフレーム133a,133b,133c,133dとで構成されており、前記三角枠状のフレーム132a,132bは、開口部の閉じ操作により三角枠状のフレーム132a,132bの隣接する長辺（又は底辺）が対角線上に位置する四角枠状のフレームを形成する。
【００９１】
このような中空多面体１３１では、前記と同様に、開閉操作により平面形状と立体形状の多面体を形成できる。また、各要素部材がフレーム132a,132b及び133a〜133dで構成されているため、外観特性を向上でき、美観を高めることができる。特に、対称構造の中空体を前記フレームで構成すると、美観を大きく高めることができる。
【００９２】
このように、本発明の中空多面体を、前記フレームやトラス構造（橋桁構造）などで形成しても、展開操作（開口部の閉じ操作）により立体形状の中空多面体を構築でき、折り畳み操作により平坦な平面状の形態に折り畳むことができる。
【００９３】
なお、中空多面体において、開閉要素部材の開口縁を除き、互いに隣接する前記基本要素部材は連結部（ヒンジ部材）により折り曲げ可能に接続できる。連結部（ヒンジ部材）は要素部材の隣接辺の少なくとも一部（１又は複数箇所で）を接続すればよく、隣接辺を全体に亘り接続してもよい。さらに、開閉要素部材には、閉じ状態を維持するため、対向する開閉要素部材同士や開閉要素部材と基本要素部材とを係止（又は掛止）又はバックルなどの形態で仮止め可能な係止（又は掛止）又は仮止め部を形成してもよく、粘着テープや紐などの固定手段（仮止め手段を含む）で対向する開閉要素部材同士や開閉要素部材と基本要素部材とを固定してもよい。係止（又は掛止）部は、開閉要素部材の開放端（又は開口縁）から延びる延出部などで構成してもよく、相手方の要素部材にはこの延出部が挿入可能な切り込み部などを形成してもよい。
【産業上の利用可能性】
【００９４】
本発明では、支持要素部材と開閉要素部材とを種々の態様で組み合わせることにより、多様な中空多面体を形成できる。そのため、本発明は、容器、ケースやハウジング、造形品（小型又は大型知育玩具などの造形玩具、造形展示品など）、建造物（架設テントなどの仮設建造物など）などの中空多面体を形成するのに有効である。
【符号の説明】
【００９５】
1,11,21,31,41,51,61,71,131…中空多面体
2a,2b,12a〜12d,22a,22b,32a〜32d,52a〜52c,112a〜112d,122a〜122d…第１の基本要素部材
3a〜3d,13a〜13d,23a〜23d,33a〜33d,53(53a,53b),63a,63b,63c,73(73a,73b),93a, 93b, 103a,103b,113a,113b,123a〜123d,133a,133b…第２の基本要素部材
34a〜34d,44a〜44d,54(54a,54b) ,74(74a,74b),124a〜124d…第２の基本要素部材
5,15,25,35a,35b,45b,55a,55b,65b,75a,75b…開口部
132a,132b…フレーム
133a〜133d…フレーム
【図１】
0005637477.tif 000002
【図２】
0005637477.tif 000003
【図３】
0005637477.tif 000004
【図４】
0005637477.tif 000005
【図５】
0005637477.tif 000006
【図６】
0005637477.tif 000007
【図７】
0005637477.tif 000008
【図８】
0005637477.tif 000009
【図９】
0005637477.tif 000010
【図１０】
0005637477.tif 000011